(57)【要約】【課題】  ワイパーブレードの結合部をワイパーアームの連結部内に嵌合させることによりワイパーブレードをワイパーアームに結合するワイパーブレードとワイパーアームの結合構造において、結合部分における美観を向上させたワイパーブレードとワイパーアームの結合構造を提供する。【解決手段】  ワイパーブレード１のクリップ１３をワイパーアーム２の連結部２１内に嵌合させてワイパーアーム２にワイパーブレード1を結合するワイパーブレードとワイパーアームの結合構造において、連結部２１にクリップ１３が導入される開口部２４を備え、クリップ１３の係止片４０に設けた係止凹部４４に係合する係止部２６を、連結部２１の天壁２２の先端２２Ａ（開口部２４の縁部）に設けた。【選択図】      図１
2018158665.tif 000002
【特許請求の範囲】
【請求項１】
ワイパーブレードの結合部をワイパーアームの連結部内に嵌合させることによりワイパーブレードをワイパーアームに結合するワイパーブレードとワイパーアームの結合構造において、
前記ワイパーアームは、前記結合部を前記連結部内に導入するための開口部を備え、
前記連結部は、前記開口部に隣接して設けられた係止部を備え、
前記結合部は、弾性変形可能な係止片を備え、
前記係止片に、前記係止部が嵌合する係止凹部を設けたワイパーブレードとワイパーアームの結合構造。
【請求項２】
前記連結部は、天壁と両側側壁を有し、先端部に設けられた前記開口部から前記天壁と両側側壁により囲まれた収容部内に前記結合部が嵌合されるようになっており、
前記連結部の係止部は、前記天壁の先端に設けられており、
前記結合部の係止片は、前記結合部の上壁に形成されている請求項１に記載のワイパーブレードとワイパーアームの結合構造。
【請求項３】
前記係止片は、前記係止凹部に隣接する隆起部を備えた請求項２に記載のワイパーブレードとワイパーアームの結合構造。
【請求項４】
ワイパーアームの連結部内に嵌合してワイパーブレードとワイパーアームを結合する結合部を備えたワイパーブレードにおいて、
前記結合部は、弾性変形可能な係止片を備え、
前記係止片に、前記係止部が嵌合する係止凹部を備えているワイパーブレード。
【請求項５】
前記係止片は、前記結合部の上壁に形成されている請求項４に記載のワイパーブレード。
【発明の詳細な説明】
【技術分野】
【０００１】
本発明は、ワイパー組み立て体におけるワイパーブレードとワイパーアームの結合構造の改良に関する。
【背景技術】
【０００２】
自動車のガラス面等の払拭に用いられるワイパー組み立て体は、一般に、駆動機構と連係するワイパーアームに対して、ワイパーブレードを回動可能に結合して構成される。このようなワイパー組み立て体におけるワイパーアームとワイパーブレードとの結合構造としては、ワイパーブレード側の結合部を、ワイパーアーム側の箱型の連結部内に、ワイパーブレードの長手方向にスライドさせて収容する構成（スロット型の結合構造）が採用されることがある。例えば、特表２００８−５０９０３４（特許文献１）には、ワイパーブレード側の結合部材（継手部）を、ワイパーアーム（振動アーム）先端のＵ字型断面の連結部内に長手方向から嵌合させて、ワイパーアームとワイパーブレードを結合する構成が開示されている。
【先行技術文献】
【特許文献】
【０００３】
【特許文献１】特表２００８−５０９０３４
【発明の概要】
【発明が解決しようとする課題】
【０００４】
このような従来のスロット型の結合構造において、結合部の連結部への係止（固定）は、連結部に設けた嵌合穴に、結合部側の係止部（ロックボタン）を嵌合させることによりなされることがある。この場合、結合部に設けた係止片（例えば、特許文献１におけるタング）にロックボタンを設け、この係止片を撓ませることにより、嵌合穴へのロックボタンの着脱がなされる。
【０００５】
しかしながら、このような従来構造においては、結合部側の係止部が、連結部に設けた嵌合穴から連結部の外表面上に露出してしまうため、ワイパー組み立て体の美観が低下してしまっていた。特に、金属製のワイパーアームの連結部に対して樹脂製の結合部の係止部が露出すると、係止部の部分で色味が異なってしまい、非常に目立ってしまう。
【０００６】
本発明は、このような問題点に着目してなされたもので、ワイパーブレードの結合部をワイパーアームの連結部内に嵌合させることによりワイパーブレードをワイパーアームに結合するワイパーブレードとワイパーアームの結合構造において、結合部分における美観を向上させたワイパーブレードとワイパーアームの結合構造を提供することを目的とする。
【課題を解決するための手段】
【０００７】
本発明は、ワイパーブレードの結合部をワイパーアームの連結部内に嵌合させることによりワイパーブレードをワイパーアームに結合するワイパーブレードとワイパーアームの結合構造において、前記ワイパーアームは、前記結合部を前記連結部内に導入するための開口部を備え、前記連結部は、前記開口部に隣接して設けられた係止部を備え、前記結合部は、弾性変形可能な係止片を備え、前記係止片に、前記係止部が嵌合する係止凹部を設けた。
【０００８】
前記連結部は、天壁と両側側壁を有し、先端部に設けられた前記開口部から前記天壁と両側側壁により囲まれた収容部内に前記結合部が嵌合されるようになっており、前記連結部の係止部は、前記結合部の天壁の先端に設けられており、前記結合部の係止片は、前記結合部の上壁に形成されていてもよい。
【０００９】
前記係止片は、前記係止凹部に隣接する隆起部を備えていてもよい。
【００１０】
また、本発明は、ワイパーアームの連結部内に嵌合してワイパーブレードとワイパーアームを結合する結合部を備えたワイパーブレードにおいて、前記結合部は、弾性変形可能な係止片を備え、前記係止片に、前記係止部が嵌合する係止凹部を備えている。
【００１１】
前記係止片は、前記結合部の上壁に形成されていてもよい。
【発明の効果】
【００１２】
本発明のワイパーブレードとワイパーアームの結合構造又はワイパーブレードによれば、ワイパーアーム（例えばワイパーアーム２）の連結部（例えば連結部２１）に、ワイパーブレード（例えばワイパーブレード１）の結合部（例えばクリップ１３）が導入される開口部（例えば開口部２４）に隣接して係止部（例えば係止部２６）を設けるようにしたので、結合部と連結部の係止のための構成を連結部の外表面上に存在しないようにでき、結合構造の美観が向上する。また、係止部は、係止凹部（例えば係止凹部４４）に嵌合するので、係止部を目立たなくでき、結合構造の美観が更に向上する。また、係止凹部は、弾性変形可能な係止片（例えば係止片４０）に設けられているので、結合部の連結部への装着作業中に、係止片が撓んでスムーズに係止凹部への係止部の係合がなされるので、効率的に装着作業を行うことが可能となる。
【００１３】
係止部を結合部の天壁（例えば天壁２２）に設けるようにすれば、結合構造の左右中央部で安定した係止を行うことができる。
【００１４】
係止凹部に隣接して隆起部を設けるようにすれば、連結部への結合部の装着作業中に、係止部が隆起部に当接することにより係止片を変形させるので、スムーズな装着作業を行うことができる。
【図面の簡単な説明】
【００１５】
【図１】本発明の実施形態におけるワイパーブレードとワイパーアームの結合構造を示す斜視図であり、ワイパーブレードとワイパーアームが結合されていない状態を示す図である。
【図２】同じくワイパーブレードとワイパーアームの結合構造を示す斜視図であり、ワイパーブレードとワイパーアームが結合された状態を示す図である。
【図３】同じくクリップを示す斜視図である。
【図４】同じくクリップを示す断面図である。
【図５】同じくクリップを示す断面図であり、係止片が下方に撓んだ状態を示す図である。
【発明を実施するための形態】
【００１６】
以下、添付図面に基づいて本発明の実施形態について説明する。
図１及び図２には、本発明の実施形態におけるワイパーブレード１とワイパーアーム２の結合構造を示す。図１には、ワイパーブレード１とワイパーアーム２が結合されていない状態が、図２には、ワイパーブレード１とワイパーアーム２が結合された状態が、それぞれ示されている。
【００１７】
図示されるように、ワイパーブレード１は、長尺の払拭部材であるブレード本体１１と、ブレード本体１１上に固定されたクリップホルダ１２と、クリップホルダ１２に対して回動可能に取り付けられたクリップ（結合部材）１３を備えている。クリップホルダ１２及びクリップ１３は、例えば樹脂成型によって形成されている。なお、本実施形態では、クリップ１３が、ワイパーブレード１側の結合部を構成している。
【００１８】
ワイパーアーム２は、ワイパーブレード１を保持する長尺部材であり、図示されない基端側において、ワイパー装置の駆動機構（図示せず）に連係している一方で、先端側が、クリップ３に連結される連結部２１となっている。なお、ワイパーアーム２は、例えば金属から形成されている。
【００１９】
連結部２１は、天壁２２と、天壁２２の両側の側壁２３からなる断面コの字型の部材であり、天壁２２と両側側壁２３により囲まれた空間（収容部）にクリップ１３が嵌合することにより、クリップ１３を介してワイパーブレード１に連結されるようになっている。この場合、クリップ１３は、連結部２１の先端の開口部２４から収容部内に導入され、連結部２１をワイパーブレード１の長手方向にスライドさせることにより、連結部２１への嵌合がなされるようになっている。なお、連結部２１の両側側壁２３の下端縁には、クリップ３を下方から抱えて保持するための爪部２５が設けられている。
【００２０】
連結部２１の天壁２２の先端２２Ａ（開口部２４の縁部）には、クリップ１３への係止のための鉤型の延設部である係止部２６が設けられている。この係止部２６が、クリップ１３の係止片４０の係止凹部４４（図３から図５参照）に係合することにより、連結部２１とクリップ部１３の係止がなされるようになっている。
【００２１】
クリップ１３は、例えば樹脂の一体形成により形成される部材であり、図３から図５によく示されるように、ワイパーアーム２の連結部２１が装着される略直方体の本体部３１と、本体部３１の前側に設けられた流線型の前端部３２を備えている。連結部２１が本体部３１に装着されたときには、連結部２１と前端部３２がなだらかに連なって、一体感のある形状が形作られるようになっている。
【００２２】
本体部３１の上壁３３と両側の側部３４とを備えている。両側部３４の内向き面３４Ａには、クリップホルダ１２への取り付けのための回動軸部３５が突設されている。クリップ３は、クリップホルダ１２に対して回動軸部３３を中心に回動可能に取り付けられるようになっている。
【００２３】
本体部３１の上壁３３には、係止片４０が切り欠かれている。係止片４０は、基端側が上壁３３から連なった固定端である基端部４１から、前方の自由端である先端部４２に向けて延びており、図５に示すように下側に向けて弾性的に撓み得るようになっている。係止片４０の先端部４２は、前端部３２に形成された切り欠き部３２Ａの内側まで延びている。
【００２４】
係止片４０の先端部４２の後側（基端側）には、上方に隆起した隆起部４３が隣接して設けられており、先端部４２と隆起部４３の間に、連結部２１の係止部２６が係合する係止凹部４４が形成されている。
【００２５】
連結部２１とクリップ１３の結合時には、クリップ１３を、本体部３１の後端３１Ａ側から連結部２１の開口部２４内に導入し、連結部２１をワイパーブレード１の長手方向に沿ってスライドさせていく。これにより、クリップ１３が連結部２１内に収容されていく。
【００２６】
このように連結部２１内へのクリップ１３の結合作業が進行すると、連結部２１の係止部２６が、係止片４０の隆起部４３に達して、係止片４０を下方に押し下げる。この状態で、更に連結部２１をスライドさせていくと、クリップ１３が連結部２１内に完全に収容されたところで、係止部２６が係止片４０の係止凹部４４内に嵌合し、連結部２１のクリップ１３への係止がなされるようになっている。
【００２７】
このように、本実施形態の結合構造によれば、ワイパーアーム２の連結部２１（天壁２２）の先端部２２Ａに設けられた係止部２６によって、連結部２１とクリップ１３の係止がなされるので、連結部２１の外周面（天壁２２及び側壁２３）には、クリップ１３との係止のための係止穴等の構成は存在しない。また、連結部２１の係止部２６は、クリップ１３の係止凹部４４内に嵌合した状態となるので、目立たない状態にできる。したがって、結合構造の美観を向上させることができる。
【００２８】
以上、本発明の実施形態について説明してきたが、本発明はこのような形態に限られるものではなく、特許請求の範囲に記載された範囲で適宜変更可能なものである。例えば、上記実施形態では、クリップホルダを介してワイパーブレード１に取り付けられるクリップ１３が結合部である場合を例にとり説明をしたが、本発明はこのような形態に限られるものではなく、結合部としては、例えばワイパーブレードに直接取り付けられる結合部材を用いてもよいし、ワイパーブレードの一部として形成された結合部を用いることも可能である。
【符号の説明】
【００２９】
１  ワイパーブレード
２  ワイパーアーム
１１  ワイパーブレード本体
１２  クリップホルダ
１３  クリップ
２１  連結部
２２  連結部の天壁
２３  連結部の側壁
２４  連結部の開口部
２５  連結部の爪部
２６  連結部の係止部
３１  クリップの本体部
３２  クリップの前端部
３３  本体部の上壁
３４  本体部の側部
３５  回動軸部
４０  係止片
４１  係止片の基端部
４２  係止片の先端部
４３  係止片の隆起部
４４  係止片の係止凹部
【図１】
2018158665.tif 000003
【図２】
2018158665.tif 000004
【図３】
2018158665.tif 000005
【図４】
2018158665.tif 000006
【図５】
2018158665.tif 000007
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
ワイパーブレードの結合部をワイパーアームの連結部内に嵌合させることによりワイパーブレードをワイパーアームに結合するワイパーブレードとワイパーアームの結合構造において、
前記ワイパーアームは、前記結合部を前記連結部内に導入するための開口部を備え、
前記開口部は、前記連結部の長手方向前端に設けられており、
前記連結部は、前記開口部に隣接して設けられた係止部を備え、
前記結合部は、弾性変形可能な係止片を備え、
前記係止片は、前記結合部の上壁を切り欠いて形成され、前記結合部の長手方向後端側の固定端である基端部から、前記結合部の長手方向前端側の自由端である先端部に向けて延びており、
前記係止片に、前記係止片の前記先端部に隣接して配置され前記係止部が嵌合する係止凹部を設け、
前記結合部が前記連結部に嵌合したとき、前記係止片の前記基端部から前記係止凹部に至る部分が前記連結部内に配置されるようにしたワイパーブレードとワイパーアームの結合構造。
【請求項２】
前記連結部は、天壁と両側側壁を有し、前記開口部から前記天壁と両側側壁により囲まれた収容部内に前記結合部が嵌合されるようになっており、
前記連結部の係止部は、前記天壁の先端に設けられている請求項１に記載のワイパーブレードとワイパーアームの結合構造。
【請求項３】
ワイパーアームの連結部の長手方向前端に設けられた開口部から導入されることにより前記連結部内に嵌合してワイパーブレードとワイパーアームを結合する結合部を備えたワイパーブレードにおいて、
前記結合部は、弾性変形可能な係止片を備え、
前記係止片は、前記結合部の上壁を切り欠いて形成され、前記結合部の長手方向後端側の固定端である基端部から、前記結合部の長手方向前端側の自由端である先端部に向けて延びており、
前記係止片に、前記係止片の前記先端部に隣接して配置された係止凹部を備え、
前記連結部の開口部に隣接して設けられた係止部が、前記係止凹部に嵌合するようにし、
前記結合部が前記連結部内に嵌合したとき、前記係止片の前記基端部から前記係止凹部に至る部分が前記連結部の内側に配置されるようにしたワイパーブレード。
【手続補正２】
【補正対象書類名】明細書
【補正対象項目名】０００７
【補正方法】変更
【補正の内容】
【０００７】
本発明は、ワイパーブレードの結合部をワイパーアームの連結部内に嵌合させることによりワイパーブレードをワイパーアームに結合するワイパーブレードとワイパーアームの結合構造において、前記ワイパーアームは、前記結合部を前記連結部内に導入するための開口部を備え、前記開口部は、前記連結部の長手方向前端に設けられており、前記連結部は、前記開口部に隣接して設けられた係止部を備え、前記結合部は、弾性変形可能な係止片を備え、前記係止片は、前記結合部の上壁を切り欠いて形成され、前記結合部の長手方向後端側の固定端である基端部から、前記結合部の長手方向前端側の自由端である先端部に向けて延びており、前記係止片に、前記係止片の前記先端部に隣接して配置され前記係止部が嵌合する係止凹部を設け、前記結合部が前記連結部内に嵌合したとき、前記係止片の前記基端部から前記係止凹部に至る部分が前記連結部の内側に配置されるようにした。
【手続補正３】
【補正対象書類名】明細書
【補正対象項目名】０００８
【補正方法】変更
【補正の内容】
【０００８】
前記連結部は、天壁と両側側壁を有し、前記開口部から前記天壁と両側側壁により囲まれた収容部内に前記結合部が嵌合されるようになっており、前記連結部の係止部は、前記天壁の先端に設けられていてもよい。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、本発明は、ワイパーアームの連結部の長手方向前端に設けられた開口部から導入されることにより前記連結部内に嵌合してワイパーブレードとワイパーアームを結合する結合部を備えたワイパーブレードにおいて、前記結合部は、弾性変形可能な係止片を備え、前記係止片は、前記結合部の上壁を切り欠いて形成され、前記結合部の長手方向後端側の固定端である基端部から、前記結合部の長手方向前端側の自由端である先端部に向けて延びており、前記係止片に、前記係止片の前記先端部に隣接して配置された係止凹部を備え、前記連結部の開口部に隣接して設けられた係止部が、前記係止凹部に嵌合するようにし、前記結合部が前記連結部内に嵌合したとき、前記係止片の前記基端部から前記係止凹部に至る部分が前記連結部の内側に配置されるようにした。
【手続補正６】
【補正対象書類名】明細書
【補正対象項目名】００１１
【補正方法】削除
【補正の内容】